(57)【要約】【課題】車台の幅と、車台の長さの２倍の長さとを合計した長さに等しい長さをもつ材料からなる細長ピースを提供することにある。【解決手段】病院用車台の幅と、長さの２倍の長さとを合計した長さに少なくとも等しい長さを有する材料の細長ピースを有する病院用車台のプライバシー・スクリーン。材料のピースに配置された開放ポケットがポールを受入れ、該ポールは、車台のベッドに設けられた既存の孔内に挿入されて、プライバシー・スクリーンを車台に取付ける。【選択図】図１
2008119476.tif 000002
【特許請求の範囲】
【請求項１】
第一長さを有する対向端部と、第二長さを有する対向側部と、各コーナに配置された孔とを備えた病院用車台のプライバシー・スクリーンにおいて、
ａ）少なくとも前記第一長さと、前記第二長さの２倍の長さとの合計にほぼ等しい幅および長さを有する材料の細長ピースと、
ｂ）該材料のピースの幅を実質的に横切って延びている開放ポケットとを有し、材料のピースが車台の上方に配置されるときに、前記ポケットの各々が車台の各孔の上方に配置され、
ｃ）前記ポケットを通って、車台のコーナに配置された孔内に挿入されるポールを更に有することを特徴とするプライバシー・スクリーン。
【請求項２】
前記材料のピースは、洗浄可能なファブリックであることを特徴とする請求項１記載のプライバシー・スクリーン。
【請求項３】
前記材料のピースは、使い捨て可能な材料から作られていることを特徴とする請求項１記載のプライバシー・スクリーン。
【請求項４】
前記ポケットは各端部が開放しており、ポールをポケットに挿通できることを特徴とする請求項１記載のプライバシー・スクリーン。
【請求項５】
ａ）前記材料のピースの長さは、前記第一長さと、第二長さの２倍の長さとの合計にほぼ等しく、
ｂ）前記材料のピースの各端部の近くには１つのポケットが配置され、２つのポケットは材料のピースの両端部の間に配置されかつ前記第一長さにほぼ等しい距離だけ間隔を隔てられていることを特徴とする請求項１記載のプライバシー・スクリーン。
【請求項６】
前記ファブリックのピースの一端のポケットは解放可能なファスナを有し、該ファスナは、関連するポールの回りにポケットを形成できることを特徴とする請求項５記載のプライバシー・スクリーン。
【請求項７】
前記解放可能なファスナは、フック／ループ型ファスナからなることを特徴とする請求項６記載のプライバシー・スクリーン。
【請求項８】
前記材料のピースの両端部のポケットおよび材料のピースの両端部の間のポケットは、材料のピースに永久的に取付けられていることを特徴とする請求項６記載のプライバシー・スクリーン。
【請求項９】
ａ）前記材料のピースの長さは、前記第一長さの２倍の長さと、前記第二長さの２倍の長さとの合計にほぼ等しく、
ｂ）前記材料の細長ピースは一体に結合されて、材料のピースを連続ループに形成していることを特徴とする請求項１記載のプライバシー・スクリーン。
【発明の詳細な説明】
【技術分野】
【０００１】
本発明は、病院の患者搬送車台用プライバシー・スクリーンに関する。
【背景技術】
【０００２】
病院、ナーシングホームおよび他のヘルスケア施設での患者は、検査、Ｘ線撮影、手術および同様な処置を受けるため、彼らの部屋から建造物内の他の領域へと頻繁に移動される。患者が歩行不可能である場合には、移動は、一般に、患者が車輪付搬送台上に横たえられている間に行われる。移動の間、患者は建造物のホールを通る誰かに見られてしまう。多年に亘って、患者が見られないようにする車台用のプライバシー・スクリーンを設ける試みがなされてきた。しかしながら、これらの従来技術のプライバシー・スクリーンは、患者のプライバシーを充分に保護できないものであるか、標準型の病院用車台へのスクリーンの迅速な着脱が行える態様で車台に取付けることができないものである。このため、病院スタッフは、患者の搬送前の車台へのスクリーンの装着、および後の洗浄のための車台からのスクリーンの取外しにかなりの時間を費やさなくてはならない。従って、プライバシー・スクリーンは、広くは使用されていない。
【発明の開示】
【発明が解決しようとする課題】
【０００３】
本発明は、車台の幅と、車台の長さの２倍の長さとを合計した長さに等しい長さをもつ材料からなる細長ピースを提供することにより、従来技術の病院用車台のプライバシー・スクリーンの上記欠点を解消することにある。
【課題を解決するための手段】
【０００４】
材料のピースの各端部に１つのポケットが配置され、両端部の間に配置される２つのポケットは、車台の幅に等しい距離だけ分離されている。ポールは、ポケットを通り、車台のコーナに設けられた孔内に挿入され、スクリーンを、車台に迅速かつ容易に取付けかつ車台から迅速かつ容易に取外すことができる。
【発明を実施するための最良の形態】
【０００５】
本発明の上記および他の目的、特徴および長所は、添付図面に関連して述べる本発明の以下の詳細な説明を考察することにより一層容易に理解されよう。
ここで図面の図１を参照すると、病院、ナーシングホームまたは同様なケア施設内のあちこちに患者を搬送し、または救急車からこのような施設に患者を搬送するのに使用される標準型車台１０は、平らな水平ベッドを有している。ベッド１２上には、患者を支持するパッド１４またはマットレスが置かれている。図示の実施形態では、パッド１４は、ベッド１２の全体をカバーしかつ対向側部１６および対向端部１８を備えた長方形の形状を有している。車台１０は、患者が車台から転がり落ちることを防止する側方レール１９を有している。車台１０の底に配置された車輪２０は、患者が車台上に置かれたときに移動される。車台１０の４隅には孔２２が設けられており、これらの孔２２は、ＩＶバッグまたはモニタリング機器を支持するポールを支持するのに使用される。
【０００６】
第一実施形態では、車台上で搬送される患者にプライバシーを与えるため、車台にプライバシー・スクリーン２４が取付けられる。スクリーン２４は、実質的にパッド１４の両側部１６およびパッド１４の１つの端部１８に沿って配置されるのに充分な長さを有する材料の細長ピース２６からなる。材料のピース２６は、車台の横を歩く誰かがパッド上に横たわる患者を見ることを防止するのに充分なだけパッド１４から上方に延びた幅を有する。材料のピース２６の各端部にはポケット２８が配置されており、ピースの中央の両側に位置する２つのポケット２８は、パッド１４の端部１８の長さに等しい距離だけ分離されている。図示の実施形態では、ポケット２８は材料のピース２６の全幅を横切って延びているが、ポケット２８は、ピースの幅の一部のみをカバーしかつ多数のセクションに設けることもできる。一端のポケットおよび２つの中央ポケットは円筒状であり、材料のピース２６に永久的に取付けられている（図４）。材料のピース２６の他端のポケット２８ａは、材料自体のピース２６の端部２９に形成される。このポケット２８ａは、端部２９をピース上に折返し、これを、例えばフック／ループファスナのような解放可能ファスナ３０を用いて、下に横たわる材料に結合することにより端部２９に形成される（図５）。これは、後述のように、スクリーンの装着を容易にする。材料のピース２６は、洗浄可能なファブリックで形成するか、使い捨て可能な材料で形成することもできる。
【０００７】
各ポケット２８に挿通されるポール３２は、スクリーン２４を車台１０に取付けるべく、ベッド１２の４つのコーナで孔２２内にぴったり嵌合される。
スクリーン２４は、ポール３２を、材料のピース２６の３つの固定ポケット２８内に挿入し、次にポールをベッド１２の３つの孔２２内に挿入することにより取付けられる。第四のポール３２ａが最終孔２２内に挿入され、調節可能なポケット２８ａが、材料のピース２６をポール３２ａの回りで引っ張りかつピース自体の上に二重に折返して、ファスナで結合することによりポール３２ａの回りに形成される。スクリーン２４によりカバーされない車台１０の端部は患者の頭部側端部となり、これにより、車台を引っ張る人が、車台上で搬送される患者を見ることが可能になる。
【０００８】
患者が搬送されたならば、ファスナ３０を開きかつ材料のピース２６を残りのポール３２から持上げることにより、スクリーン２４を容易に取外すことができる。材料のピース２６が洗浄可能である場合には洗浄して再使用でき、使い捨て可能な場合には使い捨てできる。車台が再使用される場合には、ポール３２は、スクリーンを再装着するため孔２２内に残しておいてもよいし、或いは取外して保管しておくこともできる。
【０００９】
図６に示す第二実施形態では、材料の細長ピース２３は、パッド１４の両側部１６および両端部１８に沿って実質的に延びるのに充分な長さを有している。材料のピース２３の両端部は結合され、連続ループを形成している。この実施形態では、４つの全てのポケット２８は材料のピース２３に永久的に取付けられており、材料のピース２３がパッド１４の上方に配置されるときに、各ポケットが各孔２２の上方に配置される。ポール３２は、ポケット２８を等って孔２２内に配置される。この実施形態は患者の搬送にも使用できるが、その主な用途は、車台を押す人がプライバシー・スクリーンの内部を見る必要がない死体を搬送することにある。
【００１０】
この実施形態のスクリーンは、最初に、４つの全てのポール３２を、ベッド１２のコーナに配置された孔２２内に挿入することにより取付けられる。次に、各ポールに各ポケット２８を取付けることにより、材料のピース２３が装着される。材料のピース２３は、該ピースをポール３２から上方に引っ張ることにより取外される。ポール３２は、車台２０上に残しておくこともできるし、取外して保管することもできる。
上記説明に採用された用語および表現は、説明用語として使用したものであって限定的なものとして使用したものではない。従って、このような用語および表現の使用は、図示しかつ説明した特徴の均等物またはその一部を排除するものではない。従って、本発明の範囲は、特許請求の範囲の記載によってのみ制限を受けるものである。
【図面の簡単な説明】
【００１１】
【図１】病院用車台の斜視図であり、本発明のプライバシー・スクリーンが装着された状態を示すものである。
【図２】車台に装着されたスクリーンを示す分解図である。
【図３】本発明のプライバシー・スクリーンを示す側面図である。
【図４】図１の４−４線に沿う方向から見た断面図である。
【図５】図１の５−５線に沿う方向から見た断面図である。
【図６】本発明の他の実施形態を示す斜視図である。
【符号の説明】
【００１２】
１０  車台
１４  パッド
２２  孔
２３、２６  材料のピース
２４  プライバシー・スクリーン
２８、２８ａ  ポケット
３０  ファスナ
３２、３２ａ  ポール
【図１】
2008119476.tif 000003
【図２】
2008119476.tif 000004
【図３】
2008119476.tif 000005
【図４】
2008119476.tif 000006
【図５】
2008119476.tif 000007
【図６】
2008119476.tif 000008
【外国語明細書】
2008119476.tif 000009
2008119476.tif 000010
2008119476.tif 000011
2008119476.tif 000012
2008119476.tif 000013
2008119476.tif 000014
2008119476.tif 000015
2008119476.tif 000016
2008119476.tif 000017
2008119476.tif 000018